【事件の表示】
　特願２００８−３２２３６４「画像表示装置」拒絶査定不服審判事件〔平成２２年　７月　１日出願公開、特開２０１０−１４５７０９〕について、次のとおり審決する。
【結　論】
　本件審判の請求は、成り立たない。
【理　由】
第１　手続の経緯
　本願は、平成２０年１２月１８日の出願であって、平成２３年５月１３日及び同年８月３日に手続補正がなされ、平成２３年８月３日付け手続補正が同年８月２４日付けで却下されるとともに同日付けで拒絶査定がなされ、これに対して、同年１１月２９日に拒絶査定不服審判が請求されると同時に手続補正がなされたものである。
　なお、請求人は、当審における平成２４年６月１２日付け審尋に対して同年８月１０日に回答書を提出している。
　
第２　平成２３年１１月２９日付け手続補正についての補正却下の決定
〔補正却下の決定の結論〕
　平成２３年１１月２９日付け手続補正を却下する。
　
〔理由〕
１　本件補正の内容
（１）平成２３年１１月２９日付け手続補正（以下「本件補正」という。）は、特許請求の範囲についてするものであって、本件補正前の請求項１（平成２３年５月１３日付け補正後のもの）に、
　
「複数の画素と、
　前記各画素に映像電圧を入力する複数の信号線と、
　前記各画素に走査電圧を入力する複数の制御線と、
　前記各信号線にアナログ映像電圧を供給する駆動回路と、
　前記各制御線に走査電圧を供給する走査回路とを具備し、
　前記各画素は、発光素子と、
　前記発光素子を駆動する駆動トランジスタと、
　前記駆動トランジスタのゲート電極と前記信号線との間に接続される容量素子とを有し、
　前記駆動トランジスタのゲート電極は、前記容量素子を介して前記信号線に接続されている画像表示装置であって、
　第１駆動モードと、第２駆動モードとを有し、
　各フレームには、前記信号線を通して前記画素に映像電圧を供給するための書込期間と、前記画素に供給された前記映像電圧に従って前記発光素子を発光させるための発光期間とを有し、
　Ｎを２以上の整数（Ｎ≧２）、第１ないし第Ｎフレームを連続するＮ個のフレーム、ｊを１以上の整数とするとき、前記第１駆動モード時に、第ｋ（１≦ｋ≦Ｎ）フレームの書込期間において、前記走査回路は、第（ｋ＋Ｎ（ｊ−１））番目の表示ラインを順次選択するとともに、前記駆動回路は、第（ｋ＋Ｎ（ｊ−１））番目の表示ライン用のアナログ映像電圧を各信号線に供給し、
　前記第２駆動モード時に、全てのフレームの書込期間において、前記走査回路は、全ての表示ラインを順次選択するとともに、前記駆動回路は、全ての表示ライン用のアナログ映像電圧を各信号線に供給
する
　
「複数の画素と、
　前記各画素に映像電圧を入力する複数の信号線と、
　前記各画素に走査電圧を入力する複数の制御線と、
　前記各信号線にアナログ映像電圧を供給する駆動回路と、
　前記各制御線に走査電圧を供給する走査回路とを具備し、
　前記各画素は、発光素子と、
　前記発光素子を駆動する駆動トランジスタと、
　前記駆動トランジスタのゲート電極と前記信号線との間に接続される容量素子とを有し、
　前記駆動トランジスタのゲート電極は、前記容量素子を介して前記信号線に接続されている画像表示装置であって、
　第１駆動モードと、第２駆動モードとを有し、
　各フレームには、前記信号線を通して前記画素に映像電圧を供給するための書込期間と、前記画素に供給された前記映像電圧に従って前記発光素子を発光させるための発光期間とを有し、
　Ｎを２以上の整数（Ｎ≧２）、第１ないし第Ｎフレームを連続するＮ個のフレーム、ｊを１以上の整数とするとき、前記第１駆動モード時に、第ｋ（１≦ｋ≦Ｎ）フレームの書込期間において、前記走査回路は、第（ｋ＋Ｎ（ｊ−１））番目の表示ラインを順次選択するとともに、前記駆動回路は、第（ｋ＋Ｎ（ｊ−１））番目の表示ライン用のアナログ映像電圧を各信号線に供給し、
　前記第２駆動モード時に、全てのフレームの書込期間において、前記走査回路は、全ての表示ラインを順次選択するとともに、前記駆動回路は、全ての表示ライン用のアナログ映像電圧を各信号線に供給
し、
　
前記第１駆動モード時は、前記第２駆動モードよりも高輝度で画像を表示
　
（２）本件補正後の請求項１に係る上記（１）の補正は、本件補正前の請求項１に係る発明を特定するために必要な事項である「第１駆動モードと、第２駆動モードとを有する画像表示装置」の「第１駆動モード時」の「画像」の「表示」が「第２駆動モード時」の「画像」の「表示」よりも「高輝度」で行われることを限定するものである。
　
２　本件補正の目的
　本件補正後の請求項１に係る上記１（２）の補正は、本件補正前の請求項１に係る発明を特定するために必要な事項を限定するものであるから、特許法第１７条の２第５項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について以下検討する。
　
３　引用例
（１）原査定の拒絶の理由に引用された「本願の出願前に頒布された刊行物である特開２００７−７９５９９号公報（以下「引用例１」という。）」には、次の事項が図とともに記載されている。
　ア　「【請求項１】
マトリクス状に配置された画素と、
　　前記画素に伸びる第１配線と、
　　前記第１配線に対して、第１電圧と、表示信号電圧である第２電圧とを二者択一的に印加可能な第１の回路を備え、
　前記各画素は、
　有機発光ダイオードと、
　前記第１電圧と前記第２電圧との高低によって、前記有機発光ダイオードを点灯又は消灯する第２の回路を備えていることを特徴とする画像表示装置。
【請求項２】
…略…。
【請求項３】
　請求項１において、
　前記画素に延びる第２配線を備え、
　前記各画素の第２の回路は、
　コンデンサと、
　ソースとドレインの一方が第２配線に電気的に接続され、他方が前記有機発光ダイオードに電気的に接続され、ゲートが第１配線と前記コンデンサを介して電気的に接続されたトランジスタとを備えることを特徴とする画像表示装置。」
　
　イ　「【００１５】
（第一の実施例）
以下図１〜図３を用いて、本発明の第一の実施例に関して説明する。
始めに図１を用いて、本実施例の全体構成に関して述べる。
【００１６】
　図１は本実施例であるOLED(Organic Light Emitting Diode)表示パネルの構成図である。画素発光体としてのOLED素子7を有する
画素10が表示部にマトリクス状に配置され
画素10はリセット線15、信号線17、点灯スイッチ線19
リセット線15はゲート駆動回路22の走査出力に
信号線17は信号入力スイッチ23及び三角波入力スイッチ26を介してそれぞれ信号駆動回路21及び三角波入力線27に接続されている
アナログ電圧信号
信号入力スイッチ23は信号選択線24によって、また三角波入力スイッチ26は信号選択線24のインバータ回路30の出力である反転信号選択線25によって二者択一的に制御される
点灯スイッチ線19は点灯スイッチORゲート31から出力されており、点灯スイッチORゲート31にはゲート駆動回路22の走査出力及び点灯制御線32が入力して
各画素10においては、信号線17は画素容量2を介してｐチャネルMOSトランジスタであるOLED駆動TFT4のゲートに入力されており
OLED駆動TFT4のソースは電源線18に、OLED駆動TFT4のドレインは点灯スイッチ線19で制御される点灯TFTスイッチ9を介してOLED素子7の一端に接続されている。
更にOLED駆動TFT4のゲートとドレインの間には、リセット線15で制御されるリセットTFTスイッチ5が設けられて
【００１７】
　次に本実施例の動作を、図２及び図３を用いて説明する。
【００１８】
　図２は本実施例の１フレーム期間内における、点灯制御線32及び信号選択線24の動作波形図である。本実施例では
1/60秒に予め設定されている１フレーム期間
前半の「書込み期間」と後半の「点灯期間」に分割
この分割比率は、例えば「書込み期間」と「点灯期間」で50％づつである
点灯制御線32は「書込み期間」ではオフしているが、「点灯期間」にはオンすることによって点灯スイッチ線19を介して全画素の点灯TFTスイッチ9を一斉にオン状態に固定する
【００１９】
　図３は各画素におけるリセットTFTスイッチ5、点灯TFTスイッチ9の駆動及び信号線17上のデータ入力の様子を、上記「１．書込み期間」及び「２．点灯期間」に分けて示したものである。
【００２０】
　
１フレームの前半の「書込み期間」においては、ゲート駆動回路22が各画素行を順次走査し、これと同期して信号駆動回路21よりアナログ信号電圧が信号データとして信号線17に書込まれ
具体的にはまずゲート駆動回路22によって選択されたｎ行目の画素においては、始めに点灯TFTスイッチ9、続いてリセットTFTスイッチ5がオンする
ここで両スイッチがオンすることによってOLED駆動TFT4はゲートとドレインが同電位のダイオード接続となるため、電源線18に予め所定の電圧を印加しておくことにより、OLED駆動TFT4とOLED素子7は導通状態になる。次に点灯TFTスイッチ9がオフすると、OLED駆動TFT4とOLED素子7は強制的に電流オフ状態になるが、このときOLED駆動TFT4のゲートとドレインはリセットTFTスイッチ5で短絡されているため、画素容量2の一端でもあるOLED駆動TFT4のゲート電圧は、電源線18の電圧よりしきい値電圧（Vth）だけ低い電圧に自動的にリセットされる。なおこのとき画素容量2の他端には、信号線17データとしてアナログ信号電圧が入力している。次にリセットTFTスイッチ5がオフすると、画素容量2の両端の電位差はこのまま画素容量2に記憶される
即ち画素容量2の信号線17側にここで書込まれた上記アナログ信号電圧と等しい電圧が入力した際には、OLED駆動TFT4のゲート電圧は電源線18の電圧よりしきい値電圧（Vth）だけ低い電圧に強制的に設定されることになる。このとき画素容量2の信号線17側に入力する電圧値が上記アナログ信号電圧よりも高ければOLED駆動TFT4はオフ状態であり、画素容量2の信号線17側に入力する電圧値が上記アナログ信号電圧よりも低ければOLED駆動TFT4はオン状態である
さてアナログ信号電圧の画素への書込みはこのように行毎に順次行われ、全ての画素への書込みが終了した時点で１フレームの前半の「書込み期間」は終了する
【００２１】
　
次に１フレームの後半の「点灯期間」においてはゲート駆動回路22は停止しており、点灯制御線32が点灯スイッチORゲート31と点灯スイッチ線19を介して、全画素の点灯TFTスイッチ9を一斉にオンさせ
信号線17には信号線データとして、三角波入力線27から三角波入力スイッチ26を介し、図３に示すような三角波が入力される
アナログ信号電圧
三角波の電圧
OLED素子7は予め書込まれたアナログ信号電圧値に依存した期間だけ、ほぼ一定の輝度で連続点灯し、この発光時間の変調は、視覚的には多階調の発光として認められる。このことは例えOLED駆動TFTの特性がばらついたとしても、基本的に何らの影響も受けることはない
ここで図３に示した三角波波形の振幅は、アナログ信号電圧の信号振幅とほぼ一致させることが望ましい。なお上記三角波の波形は、本発明の主旨を逸脱しない範囲で様々な変更が可能である。本実施例においては発光の時間軸重心が発光階調に依存しないように左右対象の三角波としたが、非対称の三角波や、ガンマ特性変調に相当する非直線の三角波、複数の三角波などを用いてそれぞれ異なる視覚特性を得ることも可能である。
以上の本実施例によれば、１フィールド内における発光手段の点灯時間を「点灯期間」のみに制御することで、隣接する２フィールド間に無発光期間を設けることが可能である。本実施例はこれによりなめらかな動画像表示を可能としている。また本実施例によれば各画素の容量手段に書込まれたアナログ信号電圧の値によって発光手段の点灯期間を時間的にばらつきなく制御して階調表示を得ることができるため、
画素間の表示特性ばらつきを十分に小さくすることができ
　さて以上に述べた本実施例においては、本発明の主旨を損なわない範囲でいくつもの変更が可能である。例えば本実施例ではTFT基板としてガラス基板を用いたが、これを石英基板や透明プラスチック基板等の他の透明絶縁基板に変更することも可能であるし、またOLED素子7の発光を上面に取り出すようにすれば、不透明基板を用いることも可能である。
　或いは各TFTスイッチに関しても、本実施例では構成が簡単な単チャネルのアナログスイッチを用いたが、これらのアナログスイッチを例えばCMOS構成にすることも可能である。また本実施例の説明においては、画素数やパネルサイズ等に関しては敢えて言及していない。これは本発明が特にこれらのスペックないしフォーマットに制限されるものではないためである。また今回は
表示信号電圧
アナログ電圧
【００２２】
　また本実施例ではゲート駆動回路22、信号駆動回路21等からなる周辺駆動回路は、低温多結晶Si TFT回路で構成している。しかしながらこれらの周辺駆動回路あるいはその一部分を単結晶ＬＳＩ(Large Scale Integrated circuit)回路で構成して実装することも、本発明の範囲内で可能である。
【００２３】
　本実施例では、発光手段としてOLED素子7を用いることとした。しかしこれに代えてその他の無機ダイオードや蛍光体を含む一般の発光手段を用いても、本発明を実現することが可能であることは明らかである。
【００２４】
　なおOLED素子7を赤、緑、青の３種類の色毎に作り分けてカラー化を実現する場合には、色バランスを取るために各OLED素子7の面積や、駆動電圧条件を変化させることが好ましい。ここで駆動電圧条件を変化させる場合、本実施例においては電源線18の印加電圧を色毎に変化させて調整することができる。この場合、配線の簡略化の観点からは、特に３色はストライプ配置することが望ましい。また本実施例で各OLED素子7の共通端子電圧を接地電圧としたことに対しても、OLED素子7の共通端子を赤、緑、青の３種類の色毎に作り分け、それぞれ適当な電圧で駆動することも可能である。更にこの駆動電圧を表示条件や表示の絵柄等によって適当に調整することで、色温度補正機能を実現することも可能である。
【００２５】
　また本実施例においては「書込み期間」と「点灯期間」の時間比率を約50％づつとしたが、この比率も
それぞれの条件に応じて変更が可能であ
例えば「点灯期間」を短くすれば動画の動きはより良好になるが、その分画面は暗くなり易い。これらの点を考慮して、例えば「点灯期間」は70％、30％、10％等に適宜設定すれば良い
　以上の種々の変更等は、本実施例に限らず以下のその他の実施例においても、基本的に同様に適用可能である。
…略…。」
　
　ウ　上記ア及びイから、引用例１には次の発明が記載されているものと認められる。
「マトリクス状に配置された画素１０と、
　前記画素１０に延びる第１配線である信号線１７と、
　前記画素１０に延びる第２配線である電源線１８と、
　前記第１配線である信号線１７に対して、三角波である第１電圧と、アナログ信号電圧であり表示信号電圧である第２電圧とを二者択一的に印加可能な第１の回路と、
　信号駆動回路２１と、
　ゲート駆動回路２２と、
　点灯制御線３２と、
　点灯スイッチＯＲゲート３１とを備え、
　前記各画素１０は、
　有機発光ダイオードであるＯＬＥＤ素子７と、
　前記三角波である第１電圧と前記アナログ信号電圧である第２電圧との高低によって、前記有機発光ダイオードであるＯＬＥＤ素子７を点灯又は消灯する第２の回路を備え、
　前記各画素１０の第２の回路は、
　コンデンサ２と、
　ソースとドレインの一方が第２配線である電源線１８に電気的に接続され、他方が前記有機発光ダイオードであるＯＬＥＤ素子７に電気的に接続され、ゲートが第１配線である信号線１７と前記コンデンサ２を介して電気的に接続されたトランジスタであるＯＬＥＤ駆動ＴＦＴ４とを備えた画像表示装置において、
　前記第１の回路を、信号線１７を信号駆動回路２１に接続する信号入力スイッチ２３、信号線１７を三角波入力線２７に接続する三角波入力スイッチ２６、信号入力スイッチ２３を制御する信号選択線２４、三角波入力スイッチ２６を制御する反転信号選択線２５及び信号選択線２４の信号を反転して反転信号選択線２５に出力するインバータ回路３０で構成し、
　前記各画素１０には、ゲート駆動回路２２の走査出力に接続されているリセット線１５及び点灯スイッチ線１９も延びており、点灯スイッチ線１９は点灯スイッチＯＲゲート３１から出力されており、点灯スイッチＯＲゲート３１にはゲート駆動回路２２の走査出力及び点灯制御線３２が入力しており、ＯＬＥＤ駆動ＴＦＴ４のドレインは点灯スイッチ線１９で制御される点灯ＴＦＴスイッチ９を介してＯＬＥＤ素子７の一端に接続されており、更にＯＬＥＤ駆動ＴＦＴ４のゲートとドレインの間には、リセット線１５で制御されるリセットＴＦＴスイッチ５が設けられており、
　１フレーム期間を１／６０秒に予め設定し、前半の『書込み期間』と後半の『点灯期間』に分割し、この分割比率は、例えば『書込み期間』と『点灯期間』で５０％づつであるが、それぞれの条件に応じて変更が可能であって、例えば『点灯期間』を短くすれば動画の動きはより良好になるが、その分画面は暗くなり易いので、これらの点を考慮して、例えば『点灯期間』は７０％、３０％、１０％等に適宜設定すれば良いものであり、
　点灯制御線３２は、『書込み期間』ではオフしておき、『点灯期間』にオンすることによって、点灯スイッチ線１９を介して全画素の点灯ＴＦＴスイッチ９を一斉にオン状態に固定するものであり、
　１フレームの前半の『書込み期間』においては、ゲート駆動回路２２が各画素行を順次走査し、これと同期して信号駆動回路２１よりのアナログ信号電圧を信号データとして信号線１７に書込み、次に１フレームの後半の『点灯期間』においては、ゲート駆動回路２２は停止し、点灯制御線３２が、点灯スイッチＯＲゲート３１と点灯スイッチ線１９を介して全画素の点灯ＴＦＴスイッチ９を一斉にオンさせ、ＯＬＥＤ素子７を予め書込まれたアナログ信号電圧値に依存した期間だけほぼ一定の輝度で連続点灯する発光時間の変調により多階調で発光させ、例えＯＬＥＤ駆動ＴＦＴ４の特性がばらついたとしても、基本的に何らの影響も受けることはなく、画素１０間の表示特性ばらつきを十分に小さくすることができるようにした画像表示装置であって、
　アナログ信号電圧の画素１０への書込みは、具体的には、まずゲート駆動回路２２によって選択されたｎ行目の画素において、始めに点灯ＴＦＴスイッチ９、続いてリセットＴＦＴスイッチ５をオンし、両スイッチをオンすることによってＯＬＥＤ駆動ＴＦＴ４はゲートとドレインが同電位のダイオード接続となり、電源線１８に予め所定の電圧が印加しておくと、ＯＬＥＤ駆動ＴＦＴ４とＯＬＥＤ素子７とが導通状態になり、次に点灯ＴＦＴスイッチ９をオフすると、ＯＬＥＤ駆動ＴＦＴ４とＯＬＥＤ素子７とは強制的に電流オフ状態になり、このときＯＬＥＤ駆動ＴＦＴ４のゲートとドレインはリセットＴＦＴスイッチ５で短絡されているため、一端に信号線１７データとしてアナログ信号電圧が入力している画素容量であるコンデンサ２の他端でもあるＯＬＥＤ駆動ＴＦＴ４のゲート電圧は、電源線１８の電圧よりしきい値電圧（Ｖth）だけ低い電圧に自動的にリセットされ、次にリセットＴＦＴスイッチ５をオフして、画素容量であるコンデンサ２の両端の電位差をこのままコンデンサ２に記憶する、
　即ちコンデンサ２の信号線１７側にここで書込まれた上記アナログ信号電圧と等しい電圧が入力した際には、ＯＬＥＤ駆動ＴＦＴ４のゲート電圧が電源線１８の電圧よりしきい値電圧（Vth）だけ低い電圧に強制的に設定され、コンデンサ２の信号線１７側に入力する電圧値が上記アナログ信号電圧よりも高ければＯＬＥＤ駆動ＴＦＴ４がオフ状態になり、コンデンサ２の信号線１７側に入力する電圧値が上記アナログ信号電圧よりも低ければＯＬＥＤ駆動ＴＦＴ４がオン状態になるようにする、
　このようなアナログ信号電圧の画素１０への書込みを、行毎に順次行い、全ての画素への書込みが終了した時点で１フレームの前半の『書込み期間』を終了する画像表示装置。」（以下「引用発明１」という。）
　
（２）原査定の拒絶の理由に引用された「本願の出願前に頒布された刊行物である特開２００６−１５４８１０号公報（以下「引用例２」という。）」には、次の事項が図とともに記載されている。
　ア　「【技術分野】
【０００１】
　本発明は、
平板ディスプレイ装置のスキャンドライブ
順次走査（Ｐｒｏｇｒｅｓｓｉｖｅ　Ｓｃａｎ）及び飛び越し走査（Ｉｎｔｅｒｌａｃｅｄ　Ｓｃａｎ）を選択的に行う走査駆動回路
【背景技術】
【０００２】
　走査駆動回路は、平板ディスプレイ装置の必須回路である。前記走査駆動回路は、平板パネル上に行と列に配置された複数の画素を駆動するのに用いられる。すなわち、走査駆動回路は、複数の画素を駆動するために、１つの行を単位に、選択された行に配置された画素を発光させ、又は選択された画素にデータが印加されるようにする。
【０００３】
　通常、１フレームの映像を構成するために、１フレームの映像が表示される周期を規定する垂直同期信号と、１フレームの映像を構成する複数の画素ラインのうちそれぞれのラインを駆動する水平同期信号が要求される。水平同期信号がアクティブである間、前記水平同期信号が印加されるラインに配置された画素に、映像データが入力される。
【０００４】
　パッシブマトリクスタイプのディスプレイ装置の場合、映像データの入力と同時に、画素が発光を開始し、
アクティブマトリクスタイプのディスプレイ装置
入力される映像データを格納してから、所定の時間が経過した後、１つのラインに配置された全ての画素を発光させる動作を行う
【０００５】
　液晶ディスプレイ装置、有機電界発光装置、プラズマディスプレイ装置などにおいて、前記水平同期信号を走査信号と呼ぶ。したがって、以下、それぞれのラインを選択してアクティブにする信号を走査信号と称する。
【０００６】
　画素が配置されたパネルに前記走査信号を供給する回路が走査駆動回路である。走査駆動回路は、パネルを構成するそれぞれのラインに走査信号を供給する。走査信号の供給により、それぞれのラインを選択してアクティブにする方法には、順次走査及び飛び越し走査が挙げられる。
【０００７】
　
順次走査は、パネルを構成するラインに順次に走査信号を供給する。すなわち第１のラインから最終のラインまで順に走査信号を供給する走査方式である
【０００８】
　
飛び越し走査は、２回にわたって１フレームの画面を表示する。すなわち、第一に、１フレーム周期の１／２に該当する奇数フィールド区間で奇数番目のラインに順次に走査信号が供給され、第二に、１フレーム周期の残りの１／２に該当する偶数フィールド区間で偶数番目のラインに順次に走査信号が供給される走査方式であ
【０００９】
　したがって、１つの平板ディスプレイ装置は、順次走査及び飛び越し走査のいずれか一方を固定的に選択して表示する。これは、順次走査及び飛び越し走査は、走査方式が互いに異なり、順次走査及び飛び越し走査を選択的に行うことができる走査駆動回路を備えていないからである。
【発明の開示】
【発明が解決しようとする課題】
【００１０】
　本発明は、前述のような問題点を解決するためになされたもので、本発明の第１の目的は、順次走査と飛び越し走査を選択的に行うことができる走査駆動回路を提供することにある。
【００１１】
　また、本発明の第２の目的は、順次走査と飛び越し走査を選択的に行うことができる
有機電界発光装置
【００１２】
　また、本発明の第３の目的は、モード選択部により順次走査と飛び越し走査が選択的に行うことができる走査駆動回路を提供することにある。
【課題を解決するための手段】
【００１３】
　前記第１の目的を達成するために、本発明に係る
順次走査及び飛び越し走査兼用の駆動回路は、開始パルス及びクロック信号が入力され、格納された情報をクロック信号の周期間隔で出力するためのシフトレジスタと、前記シフトレジスタが有する奇数番目のフリップフロップの出力信号、及び奇数ライン制御信号を受信し、論理演算し、奇数走査信号を発生するための奇数ライン選択部と、前記シフトレジスタが有する偶数番目のフリップフロップの出力信号、及び偶数ライン制御信号を受信し、論理演算し、偶数走査信号を発生するための偶数ライン選択部と、を備え
　
　イ　「【発明の効果】
【００１６】
　本発明によれば、
奇数ライン制御信号及び偶数ライン制御信号が有するレベルによって、順次走査動作及び飛び越し走査動作を選択的に行うことができ
　
　ウ　「【発明を実施するための最良の形態】
【００１８】
以下、図面を参照して本発明の好適な実施例を詳細に説明する。
実施例１
　図１は、本発明の第１の実施例に係る順次走査及び飛び越し走査兼用の駆動回路（以下、「スキャンドライバ」と称する）を示す回路図である。
【００１９】
　図１を参照すれば、前記スキャンドライバは、シフトレジスタ１００、奇数ライン選択部１２０及び偶数ライン選択部１４０を備える。
【００２０】
　シフトレジスタ１００は、パネルの走査ラインの数に相当するフリップフロップから構成される。したがって、パネルがｍ個の走査ラインを備える場合、前記フリップフロップの個数は、少なくともｍ個である。それぞれのフリップフロップには、クロック信号ＣＬＫが入力される。また、フリップフロップの形態によって、フリップフロップには、クロック信号ＣＬＫ及び反転されたクロック信号／ＣＬＫが入力されることもできる。それぞれのフリップフロップは、格納された情報を、入力されるクロック信号ＣＬＫに同期して１クロック周期毎に次のフリップフロップに伝達する。
【００２１】
　したがって、開始パルスＶＳＰを介してフリップフロップＦＦ１に格納されたデータの出力ＳＲ１は、１クロック周期遅れた後、フリップフロップＦＦ２の出力信号ＳＲ２として現れる。すなわち、フリップフロップＦＦ１、ＦＦ２、ＦＦ３、・・・、ＦＦｍの出力信号ＳＲ１、ＳＲ２、ＳＲ３、・・・、ＳＲｍは、１クロック周期ずつ遅れた信号として出力される。
【００２２】
　前記奇数ライン選択部１２０は、複数のＮＡＮＤゲートから構成される。奇数ライン選択部１２０を構成するＮＡＮＤゲートには、奇数ライン制御信号ＯＤＤが共通に入力される。また、奇数ライン選択部のＮＡＮＤゲートには、奇数番目のフリップフロップの出力信号ＳＲ１、ＳＲ３、・・・、ＳＲｍ−１が入力される。
【００２３】
　すなわち、第１のＮＡＮＤゲート１２１は、奇数ライン制御信号ＯＤＤ及びフリップフロップＦＦ１の出力信号ＳＲ１を入力として有し、受信された入力信号を論理演算して、第１の走査信号ＳＣＡＮ［１］を発生する。また、第３のＮＡＮＤゲート１２３は、奇数ライン制御信号ＯＤＤ及びフリップフロップＦＦ３の出力信号ＳＲ３を入力として有し、受信された入力信号を論理演算して、第３の走査信号ＳＣＡＮ［３］を発生する。上述したＮＡＮＤゲートの動作は、ｍ−１番目のＮＡＮＤゲート１２５に至るまで同じ原理で行われる。したがって、前記奇数ライン選択部１２０の動作により奇数走査信号が発生する。
【００２４】
　前記偶数ライン選択部１４０は、複数のＮＡＮＤゲートから構成される。偶数ライン選択部１４０を構成するＮＡＮＤゲートには、偶数ライン制御信号ＥＶＥＮが共通に入力される。また、偶数ライン選択部１４０のＮＡＮＤゲートには、偶数番目のフリップフロップの出力信号ＳＲ２、ＳＲ４、・・・、ＳＲｍが入力される。
【００２５】
　すなわち、第２のＮＡＮＤゲート１４２は、偶数ライン制御信号ＥＶＥＮ及びフリップフロップＦＦ２の出力信号ＳＲ２を入力として有し、受信された入力信号を論理演算して、第２の走査信号ＳＣＡＮ［２］を発生する。また、第４のＮＡＮＤゲート１４４は、偶数ライン制御信号ＥＶＥＮ及びフリップフロップＦＦ４の出力信号ＳＲ４を入力として有し、受信された入力信号を論理演算して、第４の走査信号ＳＣＡＮ［４］を発生する。上述したＮＡＮＤゲートの動作は、ｍ番目のＮＡＮＤゲート１４６に至るまで同じ原理で行われる。したがって、前記偶数ライン選択部１４０の動作により奇数走査信号が発生する。
【００２６】
　スキャンドライバが順次走査動作を行う場合、前記奇数ライン制御信号ＯＤＤは、ハイレベルとなり、奇数番目のＮＡＮＤゲートは、入力される信号を反転する。したがって、第１の走査信号ＳＣＡＮ［１］は、フリップフロップＦＦ１の出力信号ＳＲ１が反転された信号であり、第３の走査信号ＳＣＡＮ［３］は、フリップフロップＦＦ３の出力信号ＳＲ３が反転された信号であり、第ｍ−１の走査信号ＳＣＡＮ［ｍ−１］は、フリップフロップＦＦｍ−１の出力信号ＳＲｍ−１が反転された信号である。
【００２７】
　また、スキャンドライバの順次走査動作において、前記偶数ライン制御信号ＥＶＥＮもハイレベルとなり、偶数番目のＮＡＮＤゲートは、入力される信号を反転する。したがって、第２の走査信号ＳＣＡＮ［２］は、フリップフロップＦＦ２の出力信号ＳＲ２が反転された信号であり、第４の走査信号ＳＣＡＮ［４］は、フリップフロップＦＦ４の出力信号ＳＲ４が反転された信号であり、第ｍの走査信号ＳＣＡＮ［ｍ］は、フリップフロップＦＦｍの出力信号ＳＲｍが反転された信号である。
【００２８】
　すなわち、スキャンドライバは、奇数ライン制御信号ＯＤＤ及び偶数ライン制御信号ＥＶＥＮがハイレベルである場合、順次走査動作を行う。
【００２９】
　また、スキャンドライバが飛び越し走査動作を行う場合、１フレームの１／２周期である奇数フィールド区間において前記奇数ライン制御信号ＯＤＤはハイレベルとなる。したがって、奇数フィールド区間で前記奇数番目のＮＡＮＤゲートは、入力される信号を反転する。
【００３０】
　また、１フレームの残りの１／２周期である偶数フィールド区間において前記奇数ライン制御信号ＯＤＤはロウレベルとなる。したがって、偶数フィールド区間で前記奇数番目のＮＡＮＤゲートは、奇数番目のフリップフロップの出力レベルに関係なく、ハイレベルの信号を出力するマスキング動作を行う。
【００３１】
　また、スキャンドライバが飛び越し走査動作を行う場合、奇数フィールド区間で前記偶数ライン制御信号ＥＶＥＮはロウレベルとなる。したがって、奇数フィールド区間で前記偶数番目のＮＡＮＤゲートは、ハイレベルの信号を出力する。また、偶数フィールド区間で前記偶数ライン制御信号ＥＶＥＮはハイレベルとなる。したがって、偶数フィールド区間で前記偶数番目のＮＡＮＤゲートは、入力される信号を反転する。
【００３２】
　すなわち、前記図１に示されたスキャンドライバは、順次走査動作を行う場合、奇数ライン選択部１２０及び偶数ライン選択部１４０を共にアクティブにする。また、前記スキャンドライバが飛び越し走査動作を行う場合、奇数フィールド区間で奇数ライン選択部だけをアクティブにし、偶数フィールド区間では、偶数ライン選択部だけをアクティブにする。
【００３３】
　ここで、アクティブとは、ライン選択部などに信号を供給している状態を言う。
【００３４】
　図２は、本発明の第１の実施例に係るフリップフロップを示す回路図である。
【００３５】
　図２を参照すれば、フリップフロップは、第１のラッチ２００と第２のラッチ２１０とから構成される。
【００３６】
　前記第１のラッチ２００は、クロック信号ＣＬＫのロウレベルで入力信号をサンプリングするための第１のサンプラー（ｓａｍｐｌｅｒ）２０２と、前記第１のサンプラー２０２の出力をクロック信号ＣＬＫのハイレベルで格納するための第１のホルダー（ｈｏｌｄｅｒ）２０４とを備える。クロック信号ＣＬＫのロウレベルの間に第１のサンプラー２０２に入力された信号は、クロック信号ＣＬＫのハイレベルの間にホルダー２０４により格納される。入力信号の周波数は、クロック信号ＣＬＫの周波数より低いため、前記第１のラッチ２００は、クロック信号ＣＬＫのロウレベルで入力信号をサンプリングし、ハイレベルの間にサンプリングされた入力信号を格納する。
【００３７】
　第２のラッチ２１０は、クロック信号ＣＬＫのハイレベルで入力信号をサンプリングするための第２のサンプラー２１２と、前記第２のサンプラー２１２の出力をクロック信号ＣＬＫのロウレベルで格納するための第２のホルダー２１４とを備える。
【００３８】
　以下、前記フリップフロップの動作を説明する。
【００３９】
　クロック信号ＣＬＫがロウレベルである間に、第１のサンプラー２０２は、入力信号を受信し、反転された信号を第１のホルダー２０４に出力する。前記第１のホルダー２０４は、ハイレベルで動作するので、クロック信号ＣＬＫがロウレベルである間には、反転された信号を格納しない。クロック信号ＣＬＫがハイレベルに遷移されると、第１のサンプラー２０２の入力信号受信動作は、遮断され、第１のホルダー２０４は、反転された信号を格納する。同時に、第２のサンプラー２１２は、入力信号を受信する。第２のサンプラー２１２に入力された第１のホルダー２０４の信号は、第２のホルダー２１４のインバータを介して出力される。但し、クロック信号ＣＬＫがハイレベルに遷移されている間に、
第２のホルダー２１４は、受信されたデータの格納動作を行わず、クロック信号ＣＬＫがロウレベルに遷移されている間に受信されたデータの格納動作を行う。
【００４０】
　したがって、前記図２に示されたフリップフロップは、クロック信号ＣＬＫの立ち上がりエッジ直前に入力されたデータを格納し、新しいサンプリング動作が行われるまで、クロック信号ＣＬＫの１周期の間にデータを出力する。
【００４１】
　図３は、本発明の第１の実施例により前記図１のスキャンドライバの順次走査動作を説明するためのタイミング図である。
【００４２】
　以下、図３及び前記図１を参照してスキャンドライバの順次走査動作を説明する。
【００４３】
　前記図１で説明した通り、
スキャンドライバの順次走査動作は、奇数ライン制御信号ＯＤＤ及び偶数ライン制御信号ＥＶＥＮがハイレベルであることにより、奇数ライン選択部１２０及び偶数ライン選択部１４０のＮＡＮＤゲートがフリップフロップの出力信号を反転する動作である
【００４４】
　まず、
フレーム周波数と同じ周波数をもって開始パルスＶＳＰがフリップフロップＦＦ１に入力される。
フリップフロップＦＦ１は、クロック信号ＣＬＫの立ち上がりエッジ直前の開始パルスＶＳＰをサンプリングし、サンプリングされたデータを出力する。したがって、フリップフロップＦＦ１の出力信号ＳＲ１は、第１の周期の間はハイレベルである
【００４５】
　
前記出力信号ＳＲ１は、第１のＮＡＮＤ１２１ゲート及びフリップフロップＦＦ２に入力される。
第１のＮＡＮＤゲート１２１は、出力信号ＳＲ１を反転して出力する。したがって、第１の走査信号ＳＣＡＮ［１］は、第１の周期の間はロウレベルである
【００４６】
　フリップフロップＦＦ２に入力された出力信号ＳＲ１は、１周期遅れて出力される。すなわち、
クロック信号ＣＬＫの第２の周期の立ち上がりエッジ直前にサンプリングされたデータ
第２の周期の立ち上がりエッジで出力
フリップフロップＦＦ２は、出力信号ＳＲ１に比べて１周期遅れた出力信号ＳＲ２を出力
【００４７】
　フリップフロップＦＦ２の出力信号ＳＲ２は、第２のＮＡＮＤゲート１４２及びフリップフロップＦＦ３に入力される。偶数ライン制御信号ＥＶＥＮは、ハイレベルであるので、第２のＮＡＮＤゲート１４２は、出力信号ＳＲ２を反転して出力する。したがって、第２の走査信号ＳＣＡＮ［２］は、第２の周期の間はロウレベルである。
【００４８】
　続いて、フリップフロップＦＦ３は、出力信号ＳＲ２を入力として有し、前記出力信号ＳＲ２より１周期遅れた出力信号ＳＲ３を出力する。出力信号ＳＲ３は、第３のＮＡＮＤゲート１２３に入力され、第３のＮＡＮＤゲート１２３は、出力信号ＳＲ３を反転して出力する。第３の走査信号ＳＣＡＮ［３］は、第３の周期の間はロウレベルである。
【００４９】
　
前述のような動作は、最終フリップフロップＦＦｍから出力信号ＳＲｍが出力され、第ｍの走査信号ＳＣＡＮ［ｍ］が形成されるまで進行され
【００５０】
　すなわち、前述のような過程により、
１フレームの間に、全ての走査信号が順次に発生する順次走査動作が行われ
【００５１】
　図４ａ及び図４ｂは、本発明の第１の実施例により前記図１のスキャンドライバの飛び越し走査動作を説明するためのタイミング図である。
【００５２】
　以下、図４ａ及び前記図１を参照して、スキャンドライバの飛び越し走査動作を説明する。
【００５３】
　スキャンドライバの飛び越し走査動作は、前記図１で説明した通り、
１フレームを奇数フィールド区間と偶数フィールド区間とに分け
奇数フィールド区間には、奇数走査信号ＳＣＡＮ［１、３、・・・、ｍ−１］がアクティブにされ、偶数フィールド区間には、偶数走査信号ＳＣＡＮ［２、４、・・・、ｍ］がアクティブにされ
【００５４】
　
奇数フィールド区間の間に奇数走査信号をアクティブにするために、奇数ライン制御信号ＯＤＤはハイレベルとなる。また、偶数フィールド区間の間に偶数走査信号をアクティブにするために、偶数ライン制御信号ＥＶＥＮはハイレベルとな
【００５５】
　前記図４ａに示された飛び越し走査動作は、
１フレームの約１／２周期である
偶数番目のフリップフロップの出力信号は、マスキング（ｍａｓｋｉｎｇ）する
偶数番目のフリップフロップの出力信号をマスキングするために、偶数ライン制御信号ＥＶＥＮは、奇数フィールド区間でロウレベルを維持する
【００５６】
　また、
１フレームの残りの１／２周期である
奇数番目のフリップフロップの出力信号は、マスキングされ、
奇数番目のフリップフロップの出力信号をマスキングするために、奇数ライン制御信号ＯＤＤは、偶数フィールド区間の間はロウレベルである
【００５７】
　まず、
フレーム周波数の約２倍の周波数をもって開始パルスＶＳＰがフリップフロップＦＦ１に入力され
クロック周波数は、
順次走査動作時のクロック周波数の約２倍
開始パルスＶＳＰは、少なくとも２クロック周期の間、ハイレベル区間を有する。したがって、それぞれのフリップフロップの出力信号は、２クロック周期の間、ハイレベル区間を有す
【００５８】
　但し、フリップフロップＦＦ１から出力される出力信号ＳＲ１、フリップフロップＦＦ２から出力される出力信号ＳＲ２、フリップフロップＦＦ３から出力される出力信号ＳＲ３、・・・、フリップフロップＦＦｍから出力される出力信号ＳＲｍの生成過程は、前記図３に示されたことと同様である。したがって、フリップフロップの出力信号ＳＲ１、ＳＲ２、ＳＲ３、・・・、ＳＲｍ−１及びＳＲｍは、それぞれ１周期だけ遅れたハイレベル区間を有する。また、それぞれの出力信号は、２クロック周期の間、ハイレベルであるので、フリップフロップの出力信号は、隣接する出力信号と１クロック周期の間、重複するハイレベル区間がある。
【００５９】
　クロック信号ＣＬＫのｎ周期の間に、前記フリップフロップのｍ個の出力信号は、１周期間隔でハイレベルを有する。また、クロック信号ＣＬＫの残りのｎ＋１周期の間に、前記フリップフロップのｍ個の出力信号は、１周期間隔でハイレベルを有する。
【００６０】
　
奇数フィールド区間の間
ハイレベルを有する奇数ライン制御信号ＯＤＤにより、奇数ライン選択部のＮＡＮＤゲートは、奇数番目のフリップフロップの出力信号ＳＲ１、ＳＲ３、・・・、ＳＲｍ−１を反転して出力す
【００６１】
　また、奇数フィールド区間の間に、偶数ライン制御信号ＥＶＥＮは、ロウレベルを有する。但し、タイミングマージンを考慮して、偶数ライン制御信号ＥＶＥＮは、クロック信号ＣＬＫの第１の周期より半クロック遅れてロウレベルになる。ロウレベルを有する偶数ライン制御信号ＥＶＥＮにより、偶数ライン選択部のＮＡＮＤゲートは、マスキングされる。したがって、偶数番目の走査信号ＳＣＡＮ［２、４、・・・、ｍ］は、ハイレベルを有する。
【００６２】
　１フレームの残りの１／２周期である
偶数フィールド区間の間
偶数ライン選択部は、偶数番目のフリップフロップの出力信号ＳＲ２、ＳＲ４、・・・、ＳＲｍを反転して出力する
【００６３】
　但し、偶数フィールド区間は、奇数フィールド区間に比べて１クロック周期分多い。これは、最終フリップフロップの出力信号ＳＲｍが反転され、完全な信号が走査ラインに伝達されるようにするためである。
【００６４】
　図４ｂは、前記図４ａに比べて奇数フィールド区間の間に含まれたクロックの数と偶数フィールド区間の間に含まれたクロックの数は互いに一致する。すなわち、１フレームの奇数フィールド区間は、ｎ＋１のクロック周期を有し、偶数フィールド区間もまたｎ＋１のクロック周期を有する。前記図４ａでは、奇数フィールド区間でｍ番目のフリップフロップの出力信号ＳＲｍは、奇数フィールド区間及び偶数フィールド区間にわたってハイレベルを有するが、前記図４ｂでは、奇数フィールド区間内に含まれた２クロック周期の間でハイレベルを有する。
【００６５】
　フリップフロップの出力信号の生成、奇数ライン選択部の動作及び偶数ライン選択部の動作は、前記図４ａで説明したことと同様なので、詳細な説明は省略する。」
　
　エ　「【００６６】
　実施例２
　図５ａ及び図５ｂは、本発明の第２の実施例により、
スキャンドライバが適用された有機電界発光装置
【００６７】
　図５ａを参照すれば、有機電界発光装置は、スキャンドライバ３０１、データドライバ３０３及び画素アレイ部３０５を備える。
【００６８】
　
スキャンドライバ３０１は、前記図１に示されたように、順次走査及び飛び越し走査を選択的に行う
　
　オ　「【００８７】
　次いで、発光制御信号ＥＭＩ［ｍ］がハイレベルからロウレベルに遷移される場合、発光制御トランジスタＭ４は、オンとなる。前記発光制御トランジスタＭ４のオンにより、駆動トランジスタＭ１は、飽和領域で動作するようになり、プログラムキャパシタＣｓｔに蓄積された電圧Ｖｇｓに相当する電流であるＩｄａｔａは、トランジスタＭ４に流れるようになる。データ電流Ｉｄａｔａは、発光制御トランジスタＭ４を介して有機電界発光素子ＯＬＥＤに供給され、
有機電界発光素子ＯＬＥＤは、データ電流Ｉｄａｔａに相当する輝度をもって発光する
　
　カ　上記アないしオから、引用例２には次の発明が記載されているものと認められる。
「入力される映像データを格納してから、所定の時間が経過した後、１つのラインに配置された全ての画素を発光させる動作を行うアクティブマトリクスタイプの平板ディスプレイ装置の走査駆動回路であり、順次走査（Ｐｒｏｇｒｅｓｓｉｖｅ　Ｓｃａｎ）及び飛び越し走査（Ｉｎｔｅｒｌａｃｅｄ　Ｓｃａｎ）を選択的に行う、順次走査及び飛び越し走査兼用の走査駆動回路であって、
　前記順次走査は、パネルを構成するラインに順次に走査信号を供給する、すなわち第１のラインから最終のラインまで順に走査信号を供給する走査方式であり、
　前記飛び越し走査は、２回にわたって１フレームの画面を表示する、すなわち、第一に、１フレーム周期の１／２に該当する奇数フィールド区間で奇数番目のラインに順次に走査信号を供給し、第二に、１フレーム周期の残りの１／２に該当する偶数フィールド区間で偶数番目のラインに順次に走査信号を供給する走査方式であり、
　開始パルス及びクロック信号が入力され、格納された情報をクロック信号の周期間隔で出力するためのシフトレジスタと、
　前記シフトレジスタが有する奇数番目のフリップフロップの出力信号、及び、奇数ライン制御信号を受信し、論理演算し、奇数走査信号を発生するための奇数ライン選択部と、
　前記シフトレジスタが有する偶数番目のフリップフロップの出力信号、及び、偶数ライン制御信号を受信し、論理演算し、偶数走査信号を発生するための偶数ライン選択部と、
　を備えることにより、
　奇数ライン制御信号及び偶数ライン制御信号が有するレベルによって、順次走査動作及び飛び越し走査動作を選択的に行うことができるようにした走査駆動回路において、
　奇数ライン制御信号ＯＤＤ及び偶数ライン制御信号ＥＶＥＮがハイレベルであることにより、奇数ライン選択部１２０及び偶数ライン選択部１４０のＮＡＮＤゲートがフリップフロップの出力信号を反転し、フレーム周波数と同じ周波数をもって開始パルスＶＳＰがフリップフロップＦＦ１に入力され、前記フリップフロップＦＦ１は、クロック信号ＣＬＫの立ち上がりエッジ直前の開始パルスＶＳＰをサンプリングし、サンプリングされた開始パルスＶＳＰデータを出力信号ＳＲ１として、クロック信号ＣＬＫの第１の周期の間ハイレベルを出力し、該出力信号ＳＲ１は、第１のＮＡＮＤ１２１ゲート及びフリップフロップＦＦ２に入力され、第１のＮＡＮＤゲート１２１は、出力信号ＳＲ１を反転して第１の走査信号ＳＣＡＮ［１］として第１の周期の間、ロウレベルを出力し、フリップフロップＦＦ２は、クロック信号ＣＬＫの第２の周期の立ち上がりエッジ直前にサンプリングされた出力信号ＳＲ１のデータを、クロック信号ＣＬＫの第２の周期の立ち上がりエッジで、出力信号ＳＲ１に比べて１周期遅れて出力信号ＳＲ２として出力するような動作を、最終フリップフロップＦＦｍから出力信号ＳＲｍが出力され、第ｍの走査信号ＳＣＡＮ［ｍ］が形成されるまで進行し、１フレームの間に、全ての走査信号を順次に発生する順次走査動作を行い、
　１フレームを１フレームの約１／２周期である奇数フィールド区間と１フレームの残りの１／２周期である偶数フィールド区間とに分け、奇数フィールド区間の間は、奇数走査信号をアクティブにするために奇数ライン制御信号ＯＤＤをハイレベルとすると同時に、偶数番目のフリップフロップの出力信号をマスキングするために偶数ライン制御信号ＥＶＥＮを奇数フィールド区間ではロウレベルを維持し、また、偶数フィールド区間の間は、奇数番目のフリップフロップの出力信号をマスキングするために奇数ライン制御信号ＯＤＤはロウレベルにし、偶数走査信号をアクティブにするために偶数ライン制御信号ＥＶＥＮをハイレベルとなすことにより、奇数フィールド区間では奇数走査信号ＳＣＡＮ［１、３、・・・、ｍ−１］をアクティブにし、偶数フィールド区間では偶数走査信号ＳＣＡＮ［２、４、・・・、ｍ］をアクティブにし、フレーム周波数の約２倍の周波数をもって開始パルスＶＳＰをフリップフロップＦＦ１に入力し、クロック周波数を順次走査動作時のクロック周波数の約２倍にし、開始パルスＶＳＰは少なくとも２クロック周期の間ハイレベル区間を有するものとし、それぞれのフリップフロップの出力信号も２クロック周期の間ハイレベル区間を有するものとし、奇数フィールド区間の間ハイレベルを有する奇数ライン制御信号ＯＤＤにより、奇数ライン選択部のＮＡＮＤゲートは奇数番目のフリップフロップの出力信号ＳＲ１、ＳＲ３、・・・、ＳＲｍ−１を反転して出力し、偶数フィールド区間の間偶数ライン選択部は偶数番目のフリップフロップの出力信号ＳＲ２、ＳＲ４、・・・、ＳＲｍを反転して出力するようにし、
　前記平板ディスプレイ装置を、有機電界発光素子ＯＬＥＤがデータ電流Ｉｄａｔａに相当する輝度をもって発光する有機電界発光装置とした、走査駆動回路。」（以下「引用発明２」という。）
　
４　対比
　本願補正発明と引用発明１とを対比する。
（１）引用発明１の「画素１０」、「アナログ信号電圧であり表示信号電圧である第２電圧」、「第１配線である信号線１７」、「『ゲート駆動回路22の走査出力に接続されているリセット線１５』の電圧及び『ゲート駆動回路２２の走査出力』が入力している『点灯スイッチＯＲゲート３１から出力されて』いる『点灯スイッチ線１９』の電圧」、「『ゲート駆動回路22の走査出力に接続されているリセット線１５』及び『ゲート駆動回路２２の走査出力』が入力している『点灯スイッチＯＲゲート３１から出力されて』いる『点灯スイッチ線１９』」、「信号駆動回路２１」、「ゲート駆動回路２２」、「有機発光ダイオードであるＯＬＥＤ素子７」、「『画素容量であるコンデンサ２の信号線１７側に入力する電圧値が上記書込まれたアナログ信号電圧よりも低ければＯＬＥＤ駆動ＴＦＴ４はオン状態』であり、『予め書込まれたアナログ信号電圧値に依存した期間だけほぼ一定の輝度で連続点灯する発光時間の変調により多階調で発光させ』る」、「ＯＬＥＤ駆動ＴＦＴ４」、「ＯＬＥＤ駆動ＴＦＴ４のゲート」、「画素容量であるコンデンサ２」、「画像表示装置」、「フレーム」、「書込み期間」、「発光させ」、「点灯期間」、「画素行」及び「順次走査し」は、それぞれ、本願補正発明の「画素」、「アナログ映像電圧」、「信号線」、「走査電圧」、「制御線」、「駆動回路」、「走査回路」、「発光素子」、「駆動する」、「駆動トランジスタ」、「ゲート電極」、「容量素子」、「画像表示装置」、「フレーム」、「書込期間」、「発光させる」、「発光期間」、「表示ライン」及び「順次選択する」に相当する。
　
（２）引用発明１の「画像表示装置」は、マトリクス状に配置された「画素（画素１０）」と、前記「画素」に延びる「信号線（第１配線である信号線１７）」と、前記「画素」に延びる第２配線である電源線１８と、前記「信号線」に対して、三角波である第１電圧と、「アナログ映像電圧（アナログ信号電圧であり表示信号電圧である第２電圧）」とを二者択一的に印加可能な第１の回路と、「駆動回路（信号駆動回路２１）」と、「走査回路（ゲート駆動回路２２）」と、点灯制御線３２と、点灯スイッチＯＲゲート３１とを備え、前記各「画素」は、「発光素子（有機発光ダイオードであるＯＬＥＤ素子７）」と、前記三角波である第１電圧と前記「アナログ映像電圧」との高低によって、前記「発光素子」を点灯又は消灯する第２の回路を備え、前記各「画素」の第２の回路は、「容量素子（コンデンサ２）」と、ソースとドレインの一方が第２配線である電源線１８に電気的に接続され、他方が前記「発光素子」７に電気的に接続され、「ゲート電極（ゲート）」が「信号線」と前記「容量素子」を介して電気的に接続された「駆動トランジスタ（トランジスタであるＯＬＥＤ駆動ＴＦＴ４）」とを備え、前記各「画素」には、「走査回路」の走査出力に接続されている「制御線（リセット線１５及び点灯スイッチ線１９）」も延びており、「制御線（点灯スイッチ線１９）」は点灯スイッチＯＲゲート３１から出力されており、点灯スイッチＯＲゲート３１には「走査回路」の走査出力及び点灯制御線３２が入力しており、「駆動トランジスタ（ＯＬＥＤ駆動ＴＦＴ４）」のドレインは「制御線（点灯スイッチ線１９）」で制御される点灯ＴＦＴスイッチ９を介して「発光素子（ＯＬＥＤ素子７）」の一端に接続されており、更に「駆動トランジスタ」の「ゲート電極」とドレインの間には、「制御線（リセット線１５）」で制御されるリセットＴＦＴスイッチ５が設けられているから、本願補正発明の「画像表示装置」と、「複数の画素と、前記各画素に映像電圧を入力する複数の信号線と、前記各画素に走査電圧を入力する複数の制御線と、前記各信号線にアナログ映像電圧を供給する駆動回路と、前記各制御線に走査電圧を供給する走査回路とを具備し、前記各画素は、発光素子と、前記発光素子を駆動する駆動トランジスタと、前記駆動トランジスタのゲート電極と前記信号線との間に接続される容量素子とを有し、前記駆動トランジスタのゲート電極は、前記容量素子を介して前記信号線に接続されている」点で一致する。
　
（３）引用発明１の「画像表示装置」は、１「フレーム」期間を、前半の「書込期間（書込み期間）」と後半の「発光期間（点灯期間）」に分割し、１「フレーム」の前半の「書込期間」においては、「走査回路（ゲート駆動回路２２）」が各「表示ライン（画素行）」を「順次選択（順次走査）」し、これと同期して「駆動回路（信号駆動回路２１）」よりの「アナログ映像電圧（アナログ信号電圧）」を信号データとして「信号線（信号線１７）」に書込み、次に１「フレーム」の後半の「発光期間」においては、「走査回路」は停止し、点灯制御線３２が、点灯スイッチＯＲゲート３１と点灯スイッチ線１９を介して全「画素」の点灯ＴＦＴスイッチ９を一斉にオンさせ、「発光素子（ＯＬＥＤ素子７）」を予め書込まれた「アナログ映像電圧」値に依存した期間だけほぼ一定の輝度で連続点灯する発光時間の変調により多階調で「発光させ」るから、本願補正発明の「画像表示装置」と、「各フレームには、前記信号線を通して前記画素に映像電圧を供給するための書込期間と、前記画素に供給された前記映像電圧に従って前記発光素子を発光させるための発光期間とを有」する点、及び、「全てのフレームの書込期間において、前記走査回路は、全ての表示ラインを順次選択するとともに、前記駆動回路は、全ての表示ライン用のアナログ映像電圧を各信号線に供給」する「第２駆動モードを有」する点で一致する。
　
（４）上記（１）ないし（３）からみて、本願補正発明と引用発明１とは、
「複数の画素と、
　前記各画素に映像電圧を入力する複数の信号線と、
　前記各画素に走査電圧を入力する複数の制御線と、
　前記各信号線にアナログ映像電圧を供給する駆動回路と、
　前記各制御線に走査電圧を供給する走査回路とを具備し、
　前記各画素は、発光素子と、
　前記発光素子を駆動する駆動トランジスタと、
　前記駆動トランジスタのゲート電極と前記信号線との間に接続される容量素子とを有し、
　前記駆動トランジスタのゲート電極は、前記容量素子を介して前記信号線に接続されている画像表示装置であって、
　第２駆動モードを有し、
　各フレームには、前記信号線を通して前記画素に映像電圧を供給するための書込期間と、前記画素に供給された前記映像電圧に従って前記発光素子を発光させるための発光期間とを有し、
　前記第２駆動モード時に、全てのフレームの書込期間において、前記走査回路は、全ての表示ラインを順次選択するとともに、前記駆動回路は、全ての表示ライン用のアナログ映像電圧を各信号線に供給する画像表示装置。」の点で一致し、次の点で相違する。
　
相違点：
　Ｎを２以上の整数（Ｎ≧２）、第１ないし第Ｎフレームを連続するＮ個のフレーム、ｊを１以上の整数とするとき、第２駆動モードを有する前記画像表示装置が、本願補正発明では、第ｋ（１≦ｋ≦Ｎ）フレームの書込期間において、前記走査回路は、第（ｋ＋Ｎ（ｊ−１））番目の表示ラインを順次選択するとともに、前記駆動回路は、第（ｋ＋Ｎ（ｊ−１））番目の表示ライン用のアナログ映像電圧を各信号線に供給し、前記第２駆動モードよりも高輝度で画像を表示する第１駆動モードも有するのに対して、引用発明１では、そのような第１駆動モードを有していない点。
　
５　判断
　上記相違点について検討する。
（１）引用例２には、上記３（２）で述べたとおりの引用発明２（上記３（２）カ参照。）が記載されている。
　引用発明２は、入力される映像データを格納してから、所定の時間が経過した後、１つのラインに配置された全ての画素を発光させる動作を行うアクティブマトリクスタイプの平板ディスプレイ装置の走査駆動回路であり、順次走査（Ｐｒｏｇｒｅｓｓｉｖｅ　Ｓｃａｎ）及び飛び越し走査（Ｉｎｔｅｒｌａｃｅｄ　Ｓｃａｎ）を選択的に行う、順次走査及び飛び越し走査兼用の走査駆動回路であって、奇数ライン制御信号及び偶数ライン制御信号が有するレベルによって、順次走査動作及び飛び越し走査動作を選択的に行うことができるようにした走査駆動回路において、前記平板ディスプレイ装置を、有機電界発光素子ＯＬＥＤがデータ電流Ｉｄａｔａに相当する輝度をもって発光する有機電界発光装置としたものである。
　
（２）ノンインターレース画像信号を順次走査により表示する際の１フレーム期間を１／６０秒とし、インターレース画像信号を飛び越し走査により表示する際の奇数フィールド期間及び偶数フィールド期間をいずれも１／６０秒とし、その奇数フィールド期間及び偶数フィールド期間からなる１フレーム期間を１／３０秒とすることは、本願の出願前に周知である（以下「周知技術」という。例．特開平８−３０７８１５号公報（１０頁左欄２８〜３３行参照。）、特開２００１−４２８３１号公報（７頁右欄２５〜２８行）、特開２００１−３５６３１６号公報（【００６４】、【００６５】参照。）、特開２００４−１５７２２３号公報（【００７２】参照。）、特開２００５−２１５６０２号公報（【００７８】参照。））。
　
（３）上記（１）及び（２）からみて、引用発明２において、１フレームの間に、全ての走査信号を順次に発生する順次走査動作により入力される映像データを格納するのに要する時間と、飛び越し走査動作における、奇数フィールド区間で奇数番目のフリップフロップの出力信号ＳＲ１、ＳＲ３、・・・、ＳＲｍ−１を反転して出力して映像データを格納するのに要する時間又は偶数フィールド区間で偶数番目のフリップフロップの出力信号ＳＲ２、ＳＲ４、・・・、ＳＲｍを反転して出力して映像データを格納するのに要する時間とを比較すると、順次走査における１フレームの期間と飛び越し走査における１フィールドの期間とは周知技術からみてともに１／６０秒に設定されるから、後者の飛び越し走査動作における奇数フィールド区間又は偶数フィールド区間での映像データを格納するのに要する時間の方がより短時間にできることが当業者に自明である。
　
（４）引用発明１は、各画素１０が有機発光ダイオードであるＯＬＥＤ素子７を備え、ＯＬＥＤ素子７を予め書込まれたアナログ信号電圧値に依存した期間だけほぼ一定の輝度で連続点灯する発光時間の変調により多階調で発光させる画像表示装置であって、１フレーム期間を１／６０秒に予め設定し、前半の『書込み期間』と後半の『点灯期間』に分割したものであるところ、この分割比率は条件に応じて変更が可能であって、動画の動きをより良好するには『点灯期間』を短くすべきであり、画面を明るくするには『点灯期間』を長くすべきであり、これらの点を考慮して、『点灯期間』は７０％、３０％、１０％等に適宜設定すれば良いものである。また、引用発明１の『点灯期間』は１／６０秒に予め設定した１フレーム期間から前半の『書込み期間』を除いた期間内でなければならないから、画面を明るくするには『点灯期間』を長くしようとしても１フレーム期間から前半の『書込み期間』を除いた期間がその上限値となってしまうことは当業者の自明である。
　してみると、上記（１）ないし（３）からみて、引用発明１において、動画の動きをより良好するために『点灯期間』を短くした走査と、画面を明るくするために『点灯期間』を長くした走査とを、選択的に行うことができるようにするために、前記「走査回路（ゲート駆動回路２２）」を、「開始パルス及びクロック信号が入力され、格納された情報をクロック信号の周期間隔で出力するためのシフトレジスタと、前記シフトレジスタが有する奇数番目のフリップフロップの出力信号、及び、奇数ライン制御信号を受信し、論理演算し、奇数走査信号を発生するための奇数ライン選択部と、前記シフトレジスタが有する偶数番目のフリップフロップの出力信号、及び、偶数ライン制御信号を受信し、論理演算し、偶数走査信号を発生するための偶数ライン選択部と、を備えることにより、奇数ライン制御信号及び偶数ライン制御信号が有するレベルによって、順次走査動作及び飛び越し走査動作を選択的に行うことができる」ものとし、飛び越し走査動作を選択する場合には、奇数フィールド期間及び偶数フィールド期間をいずれも１／６０秒とし、その奇数フィールド期間及び偶数フィールド期間からなる１フレーム期間を１／３０秒とし、全画素の点灯ＴＦＴスイッチ９を一斉にオンさせる点灯制御線３２の信号のオン期間を、順次走査動作及び飛び越し走査動作のどちらを選択するかに応じて切り替えするようにして、映像データを格納するのに要する時間、すなわち『書込み期間』をより短くすることができる飛び越し走査動作における『点灯期間』を長く設定するとともに、順次走査動作における『点灯期間』を短く設定し、順次走査動作を選択して動画の動きをより良好に表示でき、飛び越し走査動作を選択して明るい画面で表示できるようにすることは、当業者が引用発明２及び周知技術に基づいて容易に想到することができた程度のことである。
　
（５）「２回にわたって１フレームの画面を表示する、すなわち、第一に、１フレーム周期の１／２に該当する奇数フィールド区間で奇数番目のラインに順次に走査信号を供給し、第二に、１フレーム周期の残りの１／２に該当する偶数フィールド区間で偶数番目のラインに順次に走査信号を供給する走査方式」である上記（２）の「飛び越し走査動作」における「２回」の「２」が本願補正発明の２以上の整数（Ｎ≧２）である「Ｎ」に相当し、上記「偶数フィールド区間」が本願補正発明の「第Ｎフレーム」に相当するから、上記（４）のようになした引用発明１の「第２駆動モードを有する前記画像表示装置」は、本願補正発明の「第１フレームの書込期間において、前記走査回路は、第１、３、５…番目の表示ラインを順次選択するとともに、前記駆動回路は、第１、３、５…番目の表示ライン用のアナログ映像電圧を各信号線に供給し、第２フレームの書込期間において、前記走査回路は、第２、４、６…番目の表示ラインを順次選択するとともに、前記駆動回路は、第２、４、６…番目の表示ライン用のアナログ映像電圧を各信号線に供給し、前記第２駆動モードよりも高輝度で画像を表示する第１駆動モードも有する」との構成も有することになる。
　したがって、引用発明１において、上記相違点に係る本願補正発明の構成となすことは、当業者が引用発明２及び周知技術に基づいて容易になし得た程度のことである。
　
（６）本願補正発明の奏する効果は、当業者が引用発明１の奏する効果及び引用発明２の奏する効果から予測することができた程度のものである。
　
（７）まとめ
　したがって、本願補正発明は、当業者が引用発明１、引用発明２及び周知技術に基づいて容易に発明をすることができたものである。
　本願補正発明は、当業者が引用発明１、引用発明２及び周知技術に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
第３　本願発明について
１　本願発明
　本件補正は上記第２のとおり却下されたので、本願の請求項１ないし７に係る発明は、平成２３年５月１３日に補正された特許請求の範囲の請求項１ないし７に記載された事項によって特定されるものであるところ、請求項１に係る発明（以下「本願発明」という。）は、平成２３年５月１３日に補正された明細書、特許請求の範囲及び図面の記載からみて、上記「第２〔理由〕１（１）」に本件補正前の請求項１として記載したとおりのものと認める。
　
２　引用例
　原査定の拒絶の理由に引用された引用例１、引用例２及びそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用発明１、引用発明２及び周知技術に基づいて容易に発明をすることができたものであるから、本願発明も同様の理由により、当業者が引用発明１、引用発明２及び周知技術に基づいて容易に発明をすることができたものである。
　
４　むすび
　本願発明は、以上のとおり、当業者が引用発明１、引用発明２及び周知技術に基づいて容易に発明をすることができたものであるから、特許法第２９条第２項の規定により特許を受けることができない。
　よって、結論のとおり審決する。